(57)【要約】【課題】連写撮影時において現在何枚目の撮影なのかあるいはあと何枚撮影することができるかを把握し易くする。【解決手段】被写体の像を撮影する撮像部２５と、撮像部２５により撮影された画像の撮影枚数に対応する撮影枚数情報を取得するカウント演算部２７と、連写撮影時にカウント演算部２７により取得された撮影枚数情報を音声によって報知するスピーカ２９とを備えるカメラ１を提供する。【選択図】図４
2009094830.tif 000002
【特許請求の範囲】
【請求項１】
被写体の像を撮影する撮像素子と、
該撮像素子により撮影された画像の撮影枚数に対応する撮影枚数情報を取得する撮影枚数情報取得部と、
該撮影枚数情報取得部により取得された撮影枚数情報を連写撮影中に音声によって報知する撮影枚数情報報知部と
を備えるカメラ。
【請求項２】
前記撮影枚数情報取得部が、撮影枚数情報として撮影枚数を計数する請求項１に記載のカメラ。
【請求項３】
前記撮影枚数情報取得部が、撮影枚数を計数し、計数された撮影枚数に基づいて、撮影枚数情報として撮影可能枚数を算出する請求項１に記載のカメラ。
【請求項４】
前記撮影枚数情報取得部が、連写撮影ごとに撮影開始からの経過時間を撮影枚数情報として計測する請求項１に記載のカメラ。
【請求項５】
前記撮影枚数情報取得部が、連写撮影ごとに撮影開始からの経過時間を計測し、計測された経過時間に基づいて、撮影枚数情報として撮影終了までの撮影可能時間を算出する請求項１に記載のカメラ。
【請求項６】
前記撮像素子により撮影された画像を記憶する記憶部を備え、
前記撮影枚数情報取得部が、撮影枚数情報として前記記憶部の使用量を検出する請求項１に記載のカメラ。
【請求項７】
前記撮像素子により撮影された画像を記憶する記憶部を備え、
前記撮影枚数情報取得部が、撮影枚数情報として前記記憶部の空き容量を検出する請求項１に記載のカメラ。
【発明の詳細な説明】
【技術分野】
【０００１】
本発明は、カメラに関するものである。
【背景技術】
【０００２】
従来、連続撮影の際に、撮影枚数に対応付けられた音節等の報知音を出力するカメラが知られている（特許文献１参照）。特許文献１に記載のカメラによれば、連続撮影による撮影枚数に応じた音節の音が出力されるので、撮影枚数の変化を把握することができる。
【特許文献１】特開２００５−１０１９０３号公報
【発明の開示】
【発明が解決しようとする課題】
【０００３】
しかしながら、特許文献１の撮影枚数に応じた音節等の報知音が出力される手法では、例えば、１秒間に３０枚以上の撮影を行うような高速連写撮影の場合には、撮影枚数の変化は把握することができても、高速になればなるほど現在何枚撮影したかあるいはあと何枚撮影することができるかを把握することが困難になるという問題があった。
【０００４】
本発明は、このような事情に鑑みてなされたものであって、連写撮影時において現在何枚目の撮影なのかあるいはあと何枚撮影することができるかを把握し易くすることができるカメラを提供することを目的とする。
【課題を解決するための手段】
【０００５】
上記課題を解決するために、本発明は以下の手段を採用する。
本発明は、被写体の像を撮影する撮像素子と、該撮像素子により撮影された画像の撮影枚数に対応する撮影枚数情報を取得する撮影枚数情報取得部と、該撮影枚数情報取得部により取得された撮影枚数情報を連写撮影中に音声によって報知する撮影枚数情報報知部と
を備えるカメラを提供する。
【０００６】
本発明によれば、連写撮影時において、撮像素子により被写体の像が撮影されると、撮影枚数情報取得部により取得された撮影枚数に対応する撮影枚数情報が、撮影枚数情報報知部により音声によって報知されるので、報知された撮影枚数情報が示す撮影枚数を把握することにより、ユーザが被写体から目を離すことなく現在の撮影枚数を知ることができる。
【０００７】
上記発明においては、前記撮影枚数情報取得部が、撮影枚数情報として撮影枚数を計数することとしてもよい。
このように構成することで、現在の撮影枚数を容易に把握することができる。
【０００８】
また、上記発明においては、前記撮影枚数情報取得部が、撮影枚数を計数し、計数された撮影枚数に基づいて、撮影枚数情報として撮影可能枚数を算出することとしてもよい。
このように構成することで、現在の撮影可能枚数を容易に把握することができる。
【０００９】
また、上記発明においては、前記撮影枚数情報取得部が、連写撮影ごとに撮影開始からの経過時間を撮影枚数情報として計測することとしてもよい。
このように構成することで、各連写撮影におけるフレームレートと撮影開始からの経過時間とに基づいて現在の撮影枚数を把握することができる。
【００１０】
また、上記発明においては、前記撮影枚数情報取得部が、連写撮影ごとに撮影開始からの経過時間を計測し、計測された経過時間に基づいて、撮影枚数情報として撮影終了までの撮影可能時間を算出することとしてもよい。
このように構成することで、各連写撮影におけるフレームレートと撮影開始からの経過時間とを用いて、撮影終了までの撮影可能時間を算出することができ、現在の撮影可能枚数を把握することができる。
【００１１】
また、上記発明においては、前記撮像素子により撮影された画像を記憶する記憶部を備え、前記撮影枚数情報取得部が、撮影枚数情報として前記記憶部の使用量を検出することとしてもよい。
このように構成することで、画像１枚に相当する記憶部の使用量から現在の撮影枚数を把握することができる。
【００１２】
また、上記発明においては、前記撮像素子により撮影された画像を記憶する記憶部を備え、前記撮影枚数情報取得部が、撮影枚数情報として前記記憶部の空き容量を検出することとしてもよい。
このように構成することで、画像１枚に相当する記憶部の空き容量から現在の撮影可能枚数を把握することができる。
【発明の効果】
【００１３】
本発明によれば、連写撮影時において現在何枚目の撮影なのかあるいはあと何枚撮影することができるかを把握し易くすることができるという効果を奏する。
【発明を実施するための最良の形態】
【００１４】
〔第１の実施形態〕
以下、本発明の第１の実施形態に係るカメラについて、図面を参照して説明する。
本実施形態に係るカメラ１は、図１〜図３に示すように、ユーザが撮影条件の設定等の各種操作を行う操作部３と、略直方体形状に形成されたカメラ本体５と、該カメラ本体５の前面に配置され、外部からの光を集めて被写体の像を結像させるレンズ７と、前記カメラ本体５の背面に設けられ、前記レンズ７により結像された被写体の像や撮影条件等を表示する光学ファインダ９および液晶ファインダ１１と、単写撮影モードと連写撮影モードとの切換えを行う撮影モード選択ダイヤル１３と、カメラ本体５の上端面に設けられた電源ボタン１５およびシャッタボタン１７とを備えている。なお、符号１９はフラッシュ（補助光）を発光するストロボを示し、符号２１はＷｉｄｅ／Ｔｅｌｅボタンを示している。
【００１５】
操作部３は、ユーザにより、液晶ファインダ１１上において、連写撮影時のフレームレートの設定や連写撮影枚数の設定を行うために操作されたり、撮影枚数に対応する撮影枚数情報を複数のモードに分類した音声モードを選択するために操作されたりするようになっている。
【００１６】
ここで、音声モードは、一定の枚数間隔の撮影枚数を撮影枚数情報とする音声モードＡ、撮影開始からの一定の時間間隔の経過時間を撮影枚数情報とする音声モードＢ、または、撮影開始からの一定の時間間隔の撮影枚数を撮影枚数情報とする音声モードＣから選択されるようになっている。
【００１７】
また、操作部３は、音声モードＡにおいては、１枚間隔の枚数モードａまたは１００枚間隔の枚数モードｂを選択できるようになっている。また、音声モードＢにおいては、１秒間隔の経過時間モードａまたは１０秒間隔の経過時間モードｂを選択できるようになっている。また、音声モードＣにおいては、１秒間隔の時間枚数モードａまたは１０秒間隔の時間枚数モードｂを選択できるようになっている。
【００１８】
カメラ本体５には、図４に示すように、前記シャッタボタン１７の操作状況を判定するシャッタボタン判定部２３と、前記レンズ７によって結像された被写体の像を撮影して画像データを取得するＣＣＤ等の撮像部（撮像素子）２５と、該撮像部２５により撮影された画像の撮影枚数を計数するカウント演算部（撮影枚数情報取得部）２７と、前記撮像部２５により取得された画像の撮影枚数情報を音声により報知するスピーカ（撮影枚数情報報知部）２９と、該スピーカ２９により出力される撮影枚数情報の音声パターンを設定する音声パターン設定部３１と、前記撮像部２５により取得された画像データを記憶するＳＤＲＡＭ等のメモリ３３と、前記撮像部２５により取得された画像データに対して三板化や補正等の画像処理を行う画像処理部３５とが備えられている。
【００１９】
また、カメラ本体５には、外部メモリ３７が接続可能であり、画像処理部３５により画像処理された画像データを外部メモリ３７に保存することができるようになっている。また、カメラ本体５においては、撮像部２５、メモリ３３、画像処理部３５、外部メモリ３７および液晶ファインダ１１がシステムバス３９により接続されている。
【００２０】
シャッタボタン判定部２３は、シャッタボタン１７の押し込み状態を判定して、シャッタ信号を撮像部２５およびカウント演算部２７に出力するようになっている。具体的には、シャッタボタン判定部２３は、撮像部２５にはシャッタボタン１７が押されている間シャッタ信号を出力し続け、カウント演算部２７にはシャッタボタン１７が押されるごとにシャッタ信号を出力するようになっている。
【００２１】
撮像部２５は、レンズ７を介して被写体からの光を受光して、その受光データをデジタルデータである画像データにＡＤ変換し、ＡＤ変換後の画像データをシステムバス３９を介して画像処理部３５および液晶ファインダ１１に出力するようになっている。
【００２２】
また、撮像部２５は、前記シャッタボタン判定部２３からのシャッタ信号が入力されると、シャッタを切るタイミング信号をカウント演算部２７に出力するとともに、タイミング信号に合わせて画像データをメモリ３３および外部メモリ３７に転送するようになっている。
なお、撮像部２５は、連写撮影モードにおいては、前記操作部３において予め設定されたフレームレートに基づいてタイミング信号を出力するようになっている。
【００２３】
カウント演算部２７は、撮像部２５からのタイミング信号が入力されるごとに撮影枚数を計数して撮影枚数カウント値Ｎ（Ｎ：撮影枚数）を得るようになっている。得られた撮影枚数カウント値Ｎは、カウント演算部２７から音声パターン設定部３１に出力される。また、カウント演算部２７は、シャッタボタン判定部２３からのシャッタ信号が入力されると、撮影枚数カウント値Ｎを初期化（撮影枚数カウント値Ｎ：Ｎ＝０）するようになっている。
【００２４】
音声パターン設定部３１は、操作部３において入力されたフレームレートおよびカウント演算部２７から送られてきた撮影枚数カウント値Ｎに基づいて、撮影開始からの経過時間カウント値Ｓ＝Ｎ／フレームレート（秒）を算出するようになっている。
【００２５】
また、音声パターン設定部３１は、操作部３において選択された音声モードに基づいて、カウント演算部２７から送られてきた撮影枚数カウント値Ｎあるいは算出された経過時間カウント値Ｓを音声データに変換して、各撮影枚数カウント値Ｎまたは経過時間カウント値Ｓに対応する撮影枚数情報の音声パターンを設定するようになっている。
【００２６】
例えば、音声モードＡの枚数モードａの場合には、撮影枚数カウント値Ｎが１インクリメントされるごとに、すなわち、１枚撮影されるごとに撮影枚数カウント値Ｎに対応する撮影枚数の音声パターンが更新されるようになっている。また、音声モードＡの枚数モードｂの場合には、撮影枚数カウント値Ｎが１００インクリメントされるごとに、すなわち、１００枚撮影されるごとに撮影枚数カウント値Ｎに対応する撮影枚数の音声パターンが更新されるようになっている。
【００２７】
また、例えば、音声モードＢの経過時間モードａの場合には、経過時間カウント値Ｓが１インクリメントされるごとに、すなわち、撮影開始から１秒間隔で経過時間カウント値Ｓに対応する経過時間の音声パターンが更新されるようになっている。また、音声モードＢの経過時間モードｂの場合には、経過時間カウント値Ｓが１０インクリメントされるごとに、すなわち、撮影開始から１０秒間隔で経過時間カウント値Ｓに対応する経過時間の音声パターンが更新されるようになっている。
【００２８】
また、例えば、音声モードＣの時間枚数モードａの場合には、経過時間カウント値Ｓが１インクリメントされるごとに、すなわち、撮影開始から１秒間隔でその時点の撮影枚数カウント値Ｎに対応する撮影枚数の音声パターンが更新されるようになっている。また、音声モードＣの時間枚数モードｂの場合には、経過時間カウント値Ｓが１０インクリメントされるごとに、すなわち、撮影開始から１０秒間隔でその時点の撮影枚数カウント値Ｎに対応する撮影枚数の音声パターンが更新されるようになっている。
【００２９】
なお、更新された各音声パターンは、音声パターン設定部３１からスピーカ２９に出力されるようになっている。
スピーカ２９は、音声パターン設定部３１から音声パターンが入力されると、各音声パターンに基づいて撮影枚数情報を読み上げるようになっている。
【００３０】
このように構成された本実施形態に係るカメラ１の作用について説明する。
電源ボタン１５をＯＮにしてカメラ１を起動させると、レンズ７により撮像部２５の撮像面に結像される被写体の像が撮像部２５によって撮影され、その画像データが撮像部２５からシステムバス３９を介して画像処理部３５へ出力される。
【００３１】
画像処理部３５に入力された画像データは、三板化や補正等の画像処理が行われた後、液晶ファインダ１１に送られて連続表示されることにより動きのあるスルー画像として表示される。これにより、ユーザは撮像部２５を介して被写体を液晶ファインダ１１に表示される画像によって見ることができる。
【００３２】
単写撮影モードにおいては、この状況でシャッタボタン１７が押されると、シャッタボタン判定部２３から撮像部２５にシャッタ信号が出力され、撮像部２５により被写体の画像データが取得される。撮像部２５により取得された画像データは、システムバス３９を介してメモリ３３に転送されて記憶されるとともに、画像処理部３５に送られて画像処理される。画像処理部３５において画像処理された画像データは、外部メモリ３７に転送されて保存されるとともに液晶ファインダ１１に送られて一時的に表示される。
【００３３】
次に、本実施形態に係るカメラ１の連写撮影時の動作を、図５および図６に示すフローチャート図を用いて詳細に説明する。
撮影モード選択ダイヤル１３が操作されて連写撮影モードが設定され、操作部３が操作されて音声モードＡ、枚数モードａまたは枚数モードｂ、フレームレートおよび連写撮影枚数等の撮影条件が入力されると、連写撮影モードが開始されて、まずシャッタボタン判定部２３においてシャッタボタン１７が押されたか否かが判定される（ステップＳＡ１）。
【００３４】
ステップＳＡ１において、所定の時間内にシャッタボタン１７が押されない場合には、シャッタボタン判定部２３によりシャッタボタン１７が押されたと判定されず（スタップＳＡ１「ＮＯ」）、連写撮影モードが終了する。一方、所定の時間内にシャッタボタン１７が押されると、シャッタボタン判定部２３によりシャッタボタン１７が押されたと判定され（ステップＳＡ１「ＹＥＳ」）、シャッタボタン判定部２３からカウント演算部２７および撮像部２５にシャッタ信号が出力される。
【００３５】
カウント演算部２７においては、シャッタボタン判定部２３からのシャッタ信号が入力されると、撮影枚数カウント値Ｎが初期化（撮影枚数カウント値Ｎ：Ｎ＝０）される（ステップＳＡ２）。
【００３６】
撮像部２５においては、シャッタボタン判定部２３からのシャッタ信号が入力されると、操作部３において設定されたフレームレートに基づいて被写体の像が撮影される。これにより、フレームレートに基づくタイミング信号がカウント演算部２７へ順次出力されるとともに、取得された画像データがシステムバス３９を介して順次メモリ３３へ転送される（ステップＳＡ３）。
【００３７】
カウント演算部２７においては、撮像部２５からタイミング信号が順次入力されるごとに撮影枚数が計数されて（ステップＳＡ４）、撮影枚数カウント値Ｎが算出される。算出された撮影枚数カウント値Ｎはカウント演算部２７から音声パターン設定部３１に順次送られて、音声パターンの設定が行われる（ステップＳＡ５）。
【００３８】
ここで、音声パターン設定部３１による音声パターンの設定（ステップＳＡ５）について、図６のフローチャート図を用いて詳細に説明する。
まず、音声パターン設定部３１においては、操作部３において選択された音声モードが判断され、音声モードＡが選択されたと判断されると（ステップＳＢＡ１）、続いて操作部３において選択された枚数モードが判断される（ステップＳＢＡ２）。
【００３９】
例えば、操作部３において枚数モードａが選択された場合には（ステップＳＢＡ２「ａ」）、音声パターン設定部３１により撮影枚数カウント値Ｎが音声データに変換されて（ステップＳＢＡ４）、撮影枚数カウント値Ｎに対応する撮影枚数の音声パターンが順次設定される。これにより、音声パターン設定部３１においては、１枚撮影されるごとに撮影枚数カウント値Ｎに対応する撮影枚数の音声パターンが更新されて順次スピーカ２９に出力される。
【００４０】
また、例えば、操作部３において枚数モードｂが選択された場合には（ステップＳＢＡ２「ｂ」）、まず音声パターン設定部３１により撮影枚数カウント値Ｎが１００で割り切れるか判断される（ステップＳＢＡ３）。
【００４１】
撮影枚数カウント値Ｎが１００で割り切れると判断されると（ステップＳＢＡ３「ＹＥＳ」）、音声パターン設定部３１により撮影枚数カウント値Ｎが音声データに変換され（ステップＳＢＡ４）、撮影枚数カウント値Ｎに対応する撮影枚数の音声パターンが設定される。これにより、音声パターン設定部３１においては、１００枚撮影されるごとに撮影枚数カウント値Ｎに対応する撮影枚数の音声パターンが更新されて順次スピーカ２９に出力される。一方、撮影枚数カウント値Ｎが１００で割り切れないと判断されると（ステップＳＢＡ３「ＮＯ」）、音声パターンは更新されずに、入力された撮影枚数カウント値Ｎが消去される。
【００４２】
図５のステップＳＡ５に戻り、音声パターン設定部３１において更新された音声パターンがスピーカ２９に入力されると、入力された音声パターンに応じて撮影枚数が読み上げられる。例えば、枚数モードａにおいては、１枚撮影されるごとにスピーカ２９により撮影枚数が読み上げられる（ステップＳＡ６）。なお、枚数モードｂにおいては、１００枚撮影されるごとにスピーカ２９により撮影枚数が読み上げられる。
【００４３】
ステップＳＡ３において撮像部２５から転送された画像データがメモリ３３に記憶されると、メモリ３３から画像データがシステムバス３９を介して画像処理部３５に出力され、画像処理部３５において画像処理された画像データが外部メモリ３７へ転送される（ステップＳＡ７）。これにより、連写撮影により得られた複数の画像データが外部メモリ３７に保存される。
【００４４】
一方、シャッタボタン判定部２３においては、連写撮影が行われている間、シャッタボタン１７の押し込みが解除されたか否かが判定されている（ステップＳＡ８）。シャッタボタン判定部２３においてシャッタボタン１７が押されていると判定されている間は（ステップＳＡ８「ＮＯ」）、ステップＳＡ３〜ステップＳＡ７の動作が繰り返される。
【００４５】
また、シャッタボタン判定部２３においてシャッタボタン１７の押し込みが解除されたと判定されると（ステップＳＡ８「ＹＥＳ」）、シャッタボタン判定部２３から撮像部２５へのシャッタ信号の出力および撮像部２５からカウント演算部２７へのタイミング信号の出力が停止する。これにより、カウント演算部２７による撮影枚数の計数が停止して、音声パターン設定部３１への撮影枚数カウント値Ｎの出力が停止し、スピーカ２９からの音声の出力が終了する（ステップＳＡ９）。そして、液晶ファインダ１１の表示がスルー画像に切替わり、連写撮影モードが終了する。
【００４６】
以上説明してきたように、本実施形態に係るカメラ１によれば、連写撮影時において、撮像部２５により被写体の像が撮影されると、その撮影枚数がスピーカ２９により１枚間隔または１００枚間隔で読み上げられるので、ユーザは被写体から目を離すことなく、また、被写体は撮影ポーズを維持したまま現在の撮影枚数を容易に知ることができる。
【００４７】
なお、本実施形態においては、音声モードＡを例示して説明したが、例えば、音声モードＢの場合には、音声パターン設定部３１において、フレームレートおよび撮影枚数カウント値Ｎに基づいて経過時間カウント値Ｓ＝Ｎ／フレームレートが算出される。そして、音声パターン設定部３１により経過時間カウント値Ｓに対応する音声パターンの設定が行われる（図５のステップＳＡ５参照）。
【００４８】
具体的には、図６に示すように、音声パターン設定部３１においては、まず操作部３において音声モードＢが選択されたと判断され（ステップＳＢＢ１）、続いて経過時間カウント値Ｓ＝Ｎ／フレームレートの演算により算出された経過時間カウント値Ｓが（ステップＳＢＢ２）、整数か否かが判断される（ステップＳＢＢ３）。
【００４９】
音声パターン設定部３１により経過時間カウント値Ｓが整数ではないと判断されると（ステップＳＢＢ３「ＮＯ」）、音声パターンは設定されずに、入力された経過時間カウント値Ｓが消去される。一方、経過時間カウント値Ｓが整数であると判断されると（ステップＳＢＢ３「ＹＥＳ」）、音声パターン設定部３１により操作部３において選択された経過時間モードが判断される（ステップＳＢＢ４）。
【００５０】
例えば、操作部３において経過時間モードａが選択された場合には（ステップＳＢＢ４「ａ」）、音声パターン設定部３１により経過時間カウント値Ｓが音声データに変換されて（ステップＳＢＢ６）、経過時間カウント値Ｓに対応する経過時間の音声パターンが順次設定される。これにより、音声パターン設定部３１においては、撮影開始から１秒間隔で経過時間カウント値Ｓに対応する経過時間の音声パターンが更新されて順次スピーカ２９に出力される。
【００５１】
また、例えば、操作部３において経過時間モードｂが選択された場合には（ステップＳＢＢ４「ｂ」）、まず音声パターン設定部３１により経過時間カウント値Ｓが１０で割り切れるか判断される（ステップＳＢＢ５）。
【００５２】
経過時間カウント値Ｓが１０で割り切れると判断されると（ステップＳＢＢ５「ＹＥＳ」）、音声パターン設定部３１により経過時間カウント値Ｓが音声データに変換され（ステップＳＢＢ６）、経過時間カウント値Ｓに対応する経過時間の音声パターンが設定される。これにより、音声パターン設定部３１においては、撮影開始から１０秒間隔で経過時間カウント値Ｎに対応する経過時間の音声パターンが更新されて順次スピーカ２９に出力される。一方、経過時間カウント値Ｓが１０で割り切れないと判断されると（ステップＳＢＢ５「ＮＯ」）、音声パターンは更新されずに、入力された経過時間カウント値Ｓが消去される。
【００５３】
音声パターン設定部３１において更新された音声パターンがスピーカ２９に入力されると、音声パターンに基づく経過時間が読み上げられる。例えば、経過時間モードａにおいては、スピーカ２９により撮影開始から１秒間隔で経過時間が読み上げられる。また、経過時間モードｂにおいては、スピーカ２９により撮影開始から１０秒間隔で経過時間が読み上げられる。
このようにすることで、ユーザおよび被写体は、各連写撮影におけるフレームレートと撮影開始からの経過時間とに基づいて現在の撮影枚数を把握することができる。
【００５４】
また、例えば、音声モードＣの場合には、音声パターン設定部３１において、フレームレートおよび撮影枚数カウント値Ｎに基づいて経過時間カウント値Ｓ＝Ｎ／フレームレートが算出される。そして、音声パターン設定部３１により経過時間カウント値Ｓおよび撮影枚数カウント値Ｎに対応する音声パターンの設定が行われる（図５のステップＳＡ５参照）。
【００５５】
具体的には、図６に示すように、音声パターン設定部３１においては、まず操作部３において音声モードＣが選択されたと判断され（ステップＳＢＣ１）、続いて経過時間カウント値Ｓ＝Ｎ／フレームレートの演算により算出された経過時間カウント値Ｓが（ステップＳＢＣ２）、整数か否かが判断される（ステップＳＢＣ３）。
【００５６】
音声パターン設定部３１により経過時間カウント値Ｓが整数ではないと判断されると（ステップＳＢＣ３「ＮＯ」）、音声パターンは設定されずに、入力された経過時間カウント値Ｓが消去される。一方、経過時間カウント値Ｓが整数であると判断されると（ステップＳＢＣ３「ＹＥＳ」）、操作部３において選択された経過時間モードが判断される（ステップＳＢＣ４）。
【００５７】
例えば、操作部３において時間枚数モードａが選択された場合には（ステップＳＢＣ４「ａ」）、音声パターン設定部３１により経過時間カウント値Ｓに対応する撮影枚数カウント値Ｎが音声データに変換されて（ステップＳＢＣ６）、撮影枚数カウント値Ｎに対応する撮影枚数の音声パターンが順次設定される。これにより、音声パターン設定部３１においては、撮影開始から１秒間隔でその時点の撮影枚数カウント値Ｎに対応する撮影枚数の音声パターンが更新されて順次スピーカ２９に出力される。
【００５８】
また、例えば、操作部３において時間枚数モードｂが選択された場合には（ステップＳＢＣ４「ｂ」）、まず音声パターン設定部３１により経過時間カウント値Ｓが１０で割り切れるか判断される（ステップＳＢＣ５）。
【００５９】
経過時間カウント値Ｓが１０で割り切れると判断されると（ステップＳＢＣ５「ＹＥＳ」）、音声パターン設定部３１により経過時間カウント値Ｓに対応する撮影枚数カウント値Ｎが音声データに変換され（ステップＳＢＣ６）、撮影枚数カウント値Ｎに対応する撮影枚数の音声パターンが設定される。これにより、音声パターン設定部３１においては、撮影開始から１０秒間隔でその時点の撮影枚数カウント値Ｎに対応する撮影枚数の音声パターンが更新されて順次スピーカ２９に出力される。一方、経過時間カウント値Ｓが１０で割り切れないと判断されると（ステップＳＢＣ５「ＮＯ」）、音声パターンは更新されずに、入力された経過時間カウント値Ｓが消去される。
【００６０】
音声パターン設定部３１において更新された音声パターンがスピーカ２９に入力されると、音声パターンに基づく撮影枚数が読み上げられる。例えば、時間枚数モードａにおいては、スピーカ２９により撮影開始から１秒間隔でその時点の撮影枚数が読み上げられる。また、時間枚数モードｂにおいては、スピーカ２９により撮影開始から１０秒間隔でその時点の撮影枚数が読み上げられる。
このようにすることで、ユーザおよび被写体は、各連写撮影における撮影開始から一定の時間が経過するごとに現在の撮影枚数を把握することができる。
【００６１】
なお、本実施形態に係るカメラ１は以下のように変形することができる。
例えば、本実施形態においては、音声パターン設定部３１が撮影枚数カウント値Ｎおよびフレームレートに基づいて経過時間カウント値Ｓを算出することとしたが、これに代えて、カウント演算部２７が撮像部２５からタイミング信号が入力されるごとに撮影開始からの時間を計測して、経過時間カウント値Ｓを整数単位で算出することとしてもよい。
【００６２】
このようにすることで、音声パターン設定部３１はカウント演算部２７から出力される経過時間カウント値Ｓが整数か否かを判断する必要がなく、音声パターンを更新する処理時間を短縮することができる。なお、カウント演算部２７は、シャッタボタン判定部２３からシャッタ信号が入力されると、経過時間カウント値Ｓをリセットして初期化（経過時間カウント値Ｓ：Ｓ＝０）することとすればよい。
【００６３】
〔第２の実施形態〕
次に、本発明の第２の実施形態に係るカメラについて説明する。
本実施形態に係るカメラ１００は、カメラ本体１０５が、第１の実施形態のカウント演算部２７に代えて、外部メモリ３７の空き容量を検出して残量情報を音声パターン設定部１３１に出力する外部メモリ残量検出部（撮影枚数情報取得部）１２７を備える点で、第１の実施形態と異なる。
以下、第１の実施形態に係るカメラ１と構成を共通する箇所には、同一符号を付して説明を省略する。
【００６４】
操作部３は、さらに撮影可能枚数に対応する撮影枚数情報を複数のモードに分類した音声モードを選択するために操作されるようになっている。
ここで、音声モードは、一定の枚数間隔の撮影可能枚数を撮影枚数情報とする音声モードＤ、撮影終了までの一定の時間間隔の撮影可能時間を撮影枚数情報とする音声モードＥ、撮影終了までの一定の時間間隔の撮影可能枚数を撮影枚数情報とする音声モードＦから選択されるようになっている。
【００６５】
また、操作部３は、音声モードＤにおいては、１枚間隔の撮影可能枚数である可能枚数モードａまたは１００枚間隔の撮影可能枚数である可能枚数モードｂを選択できるようになっている。また、音声モードＥにおいては、１秒間隔の撮影可能時間である可能時間モードａまたは１０秒間隔の撮影可能時間である可能時間モードｂを選択できるようになっている。また、音声モードＦにおいては、１秒間隔の撮影可能枚数である可能時間枚数モードａまたは１０秒間隔の撮影可能枚数である可能時間枚数モードｂを選択できるようになっている。
【００６６】
カメラ本体５においては、撮像部２５、メモリ３３、画像処理部３５、外部メモリ残量検出部１２７、外部メモリ３７および液晶ファインダ１１がシステムバス３９により接続されている。
撮像部２５は、シャッタボタン判定部２３からシャッタ信号が入力されると、シャッタを切るタイミングに合わせて画像データをメモリ３３および外部メモリ３７に転送するようになっている。
【００６７】
外部メモリ残量検出部１２７は、カメラ本体５に外部メモリ３７が接続されると外部メモリ３７の初期容量を検出するとともに、画像処理部３５からシステムバス３９を介して画像データが外部メモリ３７へ送られる際に各画像データの容量を読み取って、外部メモリ３７の残量（空き容量、以下、外部メモリ３７の残量を「メモリ残量Ｍ（Ｍ：ｂｉｔ）」という。）を残量情報として逐次検出するようになっている。
【００６８】
音声パターン設定部１３１は、撮像部２５からのタイミング信号が入力されるごとに外部メモリ残量検出部１２７から残量情報を読み取って、メモリ残量Ｍを撮影枚数カウント値Ｎに換算するようになっている。なお、本実施形態においては、撮影枚数カウント値Ｎは撮影枚数の増加に反比例して、メモリ残量Ｍの減少とともにその値が小さくなるものである。
【００６９】
また、音声パターン設定部１３１は、操作部３において入力されたフレームレートおよび撮影枚数カウント値Ｎに基づいて、撮影終了までの可能時間カウント値Ｓ´＝Ｎ／フレームレート（秒）を算出するようになっている。
【００７０】
また、音声パターン設定部１３１は、操作部３において選択された音声モードに基づいて、撮影可能枚数カウント値Ｎ´あるいは可能時間カウント値Ｓ´を音声データに変換して、撮影枚数カウント値Ｎまたは可能時間カウント値Ｓ´に対応する撮影枚数情報の音声パターンを設定するようになっている。
【００７１】
例えば、音声モードＤの可能枚数モードａの場合には、撮影枚数カウント値Ｎが１デクリメントされるごとに、すなわち、撮影可能枚数が１枚減少するごとに撮影枚数カウント値Ｎに対応する撮影可能枚数の音声パターンが更新されるようになっている。また、音声モードＤの可能枚数モードｂの場合には、撮影枚数カウント値Ｎが１００デクリメントされるごとに、すなわち、撮影可能枚数が１００枚減少するごとに撮影枚数カウント値Ｎに対応する撮影可能枚数の音声パターンが更新されるようになっている。
【００７２】
また、例えば、音声モードＥの可能時間モードａの場合には、可能時間カウント値Ｓ´が１デクリメントされるごとに、すなわち、撮影終了までの撮影可能時間が１秒減少するごとに可能時間カウント値Ｓ´に対応する撮影可能時間の音声パターンが更新されるようになっている。また、音声モードＥの可能時間モードｂの場合には、可能時間カウント値Ｓ´が１０デクリメントされるごとに、すなわち、撮影終了までの撮影可能時間が１０秒減少するごとに可能時間カウント値Ｓ´に対応する撮影可能時間の音声パターンが更新されるようになっている。
【００７３】
また、例えば、音声モードＦの可能時間枚数モードａの場合には、可能時間カウント値Ｓ´が１デクリメントされるごとに、すなわち、撮影終了までの撮影可能時間が１秒減少するごとに撮影枚数カウント値Ｎに対応する撮影可能枚数の音声パターンが更新されるようになっている。また、音声モードＦの可能時間枚数モードａの場合には、可能時間カウント値Ｓ´が１デクリメントされるごとに、すなわち、撮影終了までの撮影可能時間が１０秒減少するごとに撮影枚数カウント値Ｎに対応する撮影可能枚数の音声パターンが更新されるようになっている。
スピーカ２９は、音声パターン設定部１３１から音声パターンが入力されると、各音声パターンに基づいて撮影枚数情報を読み上げるようになっている。
【００７４】
このように構成された本実施形態に係るカメラ１００の連写撮影時の動作を、図８および図９に示すフローチャート図を用いて詳細に説明する。
撮影モード選択ダイヤル１３が操作されて連写撮影モードが設定され、操作部３が操作されて音声モードＤ、可能枚数モードａまたは可能枚数モードｂ、フレームレートおよび連写撮影枚数等の撮影条件が入力されると、連写撮影モードが開始される。
【００７５】
外部メモリ残量検出部１２７においては、外部メモリ３７の残量が検出されて、残量情報としてのメモリ残量Ｍが算出される（ステップＳＣ３）。算出されたメモリ残量Ｍは外部メモリ残量検出部１２７から音声パターン設定部１３１に順次送られて、音声パターンの設定が行われる（ステップＳＣ４）。
【００７６】
ここで、音声パターン設定部１３１による音声パターンの設定（ステップＳＣ４）について、図９のフローチャート図を用いて詳細に説明する。
まず、音声パターン設定部１３１においては、外部メモリ残量検出部１２７から送られてきたメモリ残量Ｍが撮影枚数カウント値Ｎに換算される（ステップＳＤ１）。
【００７７】
そして、操作部３において選択された音声モードが判断され、音声モードＤが選択されたと判断されると（ステップＳＤＤ２）、続いて操作部３において選択された可能枚数モードが判断される（ステップＳＤＤ３）。
【００７８】
例えば、操作部３において可能枚数モードａが選択された場合には（ステップＳＤＤ３「ａ」）、音声パターン設定部１３１により撮影枚数カウント値Ｎが音声データに変換されて（ステップＳＤＤ５）、撮影枚数カウント値Ｎに対応する撮影可能枚数の音声パターンが順次設定される。これにより、音声パターン設定部１３１においては、外部メモリ３７の残量が画像１枚分減少するごとに、すなわち、１枚撮影されるごとに撮影枚数カウント値Ｎに対応する撮影可能枚数の音声パターンが更新されて、順次スピーカ２９に出力される。
【００７９】
また、例えば、操作部３においてユーザにより可能枚数モードｂが選択された場合には（ステップＳＤＤ３「ｂ」）、まず音声パターン設定部１３１により撮影枚数カウント値Ｎが１００で割り切れるか判断される（ステップＳＤＤ４）。
【００８０】
撮影枚数カウント値Ｎが１００で割り切れると判断されると（ステップＳＤＤ４「ＹＥＳ」）、音声パターン設定部１３１により撮影枚数カウント値Ｎが音声データに変換され（ステップＳＤＤ５）、撮影枚数カウント値Ｎに対応する撮影可能枚数の音声パターンが設定される。これにより、音声パターン設定部１３１においては、画像メモリ３７の残量が画像１００枚分減少するごとに、すなわち、１００枚撮影されるごとに撮影枚数カウント値Ｎに対応する音声パターンが更新されて順次スピーカ２９に出力される。一方、撮影枚数カウント値Ｎが１００で割り切れないと判断されると（ステップＳＤＤ４「ＮＯ」）、音声パターンは更新されずに、換算された撮影枚数カウント値Ｎが消去される。
【００８１】
図８のステップＳＣ４に戻り、音声パターン設定部１３１において更新された音声パターンがスピーカ２９に入力されると、入力された音声パターンに応じて撮影可能枚数が読み上げられる。例えば、可能枚数モードａにおいては、１枚撮影されるごとにスピーカ２９により撮影可能枚数が読み上げられる（ステップＳＣ５）。なお、可能枚数モードｂにおいては、１００枚撮影されるごとにスピーカ２９により撮影可能枚数が読み上げられる。
【００８２】
以上説明してきたように、本実施形態に係るカメラ１００によれば、連写撮影時において、撮像部２５により被写体の像が撮影されると、外部メモリ３７の空き容量が検出されて、スピーカ２９により撮影可能枚数が１枚間隔または１００枚間隔で読み上げられるので、ユーザは被写体から目を離すことなく、また、被写体は撮影ポーズを維持したまま現在の撮影可能枚数を容易に把握することができる。
【００８３】
なお、本実施形態においては、音声モードＤを例示して説明したが、例えば、音声モードＥの場合には、図９に示すように、音声パターン設定部１３１においてまず外部メモリ残量検出部１２７から読み出されたメモリ残量Ｍが撮影枚数カウント値Ｎに換算される（ステップＳＤ１）。続いて、音声パターン設定部１３１により音声モードＥが選択されたと判断されると（ステップＳＤＥ２）、フレームレートおよび撮影枚数カウント値Ｎに基づいて可能時間カウント値Ｓ´＝Ｎ／フレームレートが算出される（ステップＳＤＥ３）。
【００８４】
また、音声パターン設定部１３１においては、算出された可能時間カウント値Ｓ´が整数か否かが判断され（ステップＳＤＥ４）、整数ではない場合には、音声パターンは設定されずに可能時間カウント値Ｓ´が消去される（ステップＳＤＥ４「ＮＯ」）。一方、可能時間カウント値Ｓ´が整数であると判断されると（ステップＳＤＥ４「ＹＥＳ」）、音声パターン設定部１３１により操作部３において選択された経過時間モードが判断される（ステップＳＤＥ５）。
【００８５】
例えば、操作部３において経過時間モードａが選択された場合には（ステップＳＤＥ「ａ」）、音声パターン設定部１３１により可能時間カウント値Ｓ´が音声データに変換されて（ステップＳＤＥ７）、可能時間カウント値Ｓ´に対応する撮影可能時間の音声パターンが順次設定される。これにより、音声パターン設定部１３１においては、撮影終了までの撮影可能時間が１秒減少するごとに、すなわち、撮影開始から１秒間隔で可能時間カウント値Ｓ´に対応する撮影可能時間の音声パターンが更新されて順次スピーカ２９に出力される。
【００８６】
また、例えば、操作部３において経過時間モードｂが選択された場合には（ステップＳＤＥ５「ｂ」）、まず音声パターン設定部１３１により可能時間カウント値Ｓ´が１０で割り切れるか判断される（ステップＳＤＥ６）。
可能時間カウント値Ｓ´が１０で割り切れると判断されると（ステップＳＤＥ６「ＹＥＳ」）、音声パターン設定部１３１により可能時間カウント値Ｓ´が音声データに変換され（ステップＳＤＥ７）、可能時間カウント値Ｓ´に対応する撮影可能時間の音声パターンが設定される。これにより、音声パターン設定部１３１においては、撮影終了までの撮影可能時間が１０秒減少するごとに、すなわち、撮影開始から１０秒間隔で撮影可能時間の音声パターンが更新されて順次スピーカ２９に出力される。一方、可能時間カウント値Ｓ´が１０で割り切れないと判断されると（ステップＳＤＥ６「ＮＯ」）、音声パターンは更新されずに、算出された可能時間カウント値Ｓ´が消去される。
【００８７】
図８のステップＳＣ４に戻り、音声パターン設定部１３１において更新された音声パターンがスピーカ２９に入力されると、入力された音声パターンに応じて撮影可能時間が読み上げられる。例えば、可能時間モードａにおいては、スピーカ２９により撮影開始から１秒間隔で撮影可能時間が読み上げられる。なお、可能時間モードｂにおいては、スピーカ２９により撮影開始から１０秒間隔で撮影可能時間が読み上げられる。
このようにすることで、ユーザおよび被写体は、各連写撮影におけるフレームレートと撮影開始からの経過時間とに基づいて現在の撮影可能枚数を把握することができる。
【００８８】
また、例えば、音声モードＦの場合には、図９に示すように、音声パターン設定部１３１においてまず外部メモリ残量検出部１２７から読み出されたメモリ残量Ｍが撮影枚数カウント値Ｎに換算される（ステップＳＤ１）。続いて、音声パターン設定部１３１により音声モードＦが選択されたと判断されると（ステップＳＤＦ２）、フレームレートおよび撮影枚数カウント値Ｎに基づいて可能時間カウント値Ｓ´＝Ｎ／フレームレートが算出される（ステップＳＤＦ３）。
【００８９】
また、音声パターン設定部１３１により、算出された可能時間カウント値Ｓ´が整数か否かが判断され（ステップＳＤＦ４）、整数ではない場合には、音声パターンは設定されずに可能時間カウント値Ｓ´が消去される（ステップＳＤＦ４「ＮＯ」）。一方、可能時間カウント値Ｓ´が整数であると判断されると（ステップＳＤＦ４「ＹＥＳ」）、音声パターン設定部１３１により操作部３において選択された可能時間枚数モードが判断される（ステップＳＤＦ５）。
【００９０】
例えば、操作部３において可能時間枚数モードａが選択された場合には（ステップＳＤＦ５「ａ」）、音声パターン設定部１３１により可能時間カウント値Ｓ´に対応する撮影枚数カウント値Ｎが音声データに変換されて（ステップＳＤＦ７）、撮影枚数カウント値Ｎに対応する撮影可能枚数の音声パターンが順次設定される。これにより、音声パターン設定部１３１においては、撮影終了までの撮影可能時間が１秒減少するごとに、すなわち、撮影開始から１秒間隔でその時点の撮影枚数カウント値Ｎに対応する撮影可能枚数の音声パターンが更新されて、順次スピーカ２９に出力される。
【００９１】
また、例えば、操作部３において時間枚数モードｂが選択された場合には（ステップＳＤＦ５「ｂ」）、まず音声パターン設定部１３１により可能時間カウント値Ｓ´が１０で割り切れるか判断される（ステップＳＤＦ６）。
可能時間カウント値Ｓ´が１０で割り切れると判断されると（ステップＳＤＦ６「ＹＥＳ」）、音声パターン設定部１３１により可能時間カウント値Ｓ´に対応する撮影枚数カウント値Ｎが音声データに変換され（ステップＳＤＦ７）、撮影枚数カウント値Ｎに対応する撮影可能枚数の音声パターンが設定される。これにより、音声パターン設定部１３１においては、撮影終了までの撮影可能時間が１０秒減少するごとに、すなわち、撮影開始から１０秒間隔でその時点の撮影枚数カウント値Ｎに対応する撮影可能枚数の音声パターンが更新されて、順次スピーカ２９に出力される。一方、可能時間カウント値Ｓ´が１０で割り切れないと判断されると（ステップＳＤＦ６「ＮＯ」）、音声パターンは更新されずに、入力された可能時間カウント値Ｓ´が消去される。
【００９２】
図８のステップＳＣ４に戻り、音声パターン設定部１３１において更新された音声パターンがスピーカ２９に入力されると、音声パターンに基づく撮影可能枚数が読み上げられる。例えば、時間枚数モードａにおいては、スピーカ２９により撮影開始から１秒間隔でその時点の撮影枚数が読み上げられる。なお、時間枚数モードｂにおいては、スピーカ２９により撮影開始から１０秒間隔でその時点の撮影可能枚数が読み上げられる。
このようにすることで、ユーザおよび被写体は、各連写撮影における撮影開始から一定の時間が経過するごとに現在の撮影可能枚数を把握することができる。
【００９３】
なお、本実施形態においては、音声パターン設定部１３１が撮影枚数カウント値Ｎおよびフレームレートに基づいて可能時間カウント値Ｓ´を算出することとしたが、これに代えて、音声パターン設定部１３１が撮影開始からの時間を計測して、メモリ残量Ｍおよびフレームレートに基づいて可能時間カウント値Ｓ´を整数単位で算出することとしてもよい。
【００９４】
また、本実施形態に係るカメラ１０１は以下のように変形することができる。
例えば、カメラ２０１は、外部メモリ３７を接続されると音声パターン設定部１３１にその初期容量Ｘが入力されることとし、また、図１０に示すように、カメラ２０１が、さらに撮影枚数情報が外部メモリ３７の容量である音声モードＧを有することとしてもよい（ステップＳＥＧ１）。この場合に、音声モードＧにおいては、外部メモリ３７の使用量を出力する使用量モードａ（ステップＳＥＧ２「ａ」）または残量モードｂ（ステップＳＥＧ２「ｂ」）が選択されることとしてもよい。
【００９５】
例えば、操作部３において使用量モードａが選択された場合には（ステップＳＥＧ２「ａ」）、音声パターン設定部１３１において、外部メモリ３７の初期容量Ｘとメモリ残量Ｍとに基づいて、使用量Ｌ＝（Ｘ−Ｍ／Ｘ）×１００（％）が算出される（ステップＳＥＧ３）。そして、音声パターン設定部１３１により使用量Ｌが音声データに変換されて（ステップＳＥＧ５）、使用量Ｌに対応する撮影枚数情報の音声パターンが設定されることとすればよい。
【００９６】
また、例えば、操作部３において残量モードｂが選択された場合には（ステップＳＥＧ２「ｂ」）、音声パターン設定部１３１において、外部メモリ３７の初期容量Ｘとメモリ残量Ｍとに基づいて、残量ＬＬ＝（Ｍ／Ｘ）×１００（％）が算出される（ステップＳＥＧ４）。そして、音声パターン設定部１３１により残量ＬＬが音声データに変換されて（ステップＳＥＧ５）、残量ＬＬに対応する撮影枚数情報の音声パターンが設定されることとすればよい。
【００９７】
そして、使用量モードａにおいては、スピーカ２９により所定の枚数（例えば、１００枚）間隔ごとまたは所定の時間（例えば、１０秒）間隔ごとに外部メモリ３７の使用量が読み上げられ、一方、残量モードｂにおいては、スピーカ２９により所定の枚数（例えば、１００枚）間隔ごとにまたは所定の時間（例えば、１０秒）間隔ごとに外部メモリ３７の残量が読み上げられることとすればよい。
このようにすることで、ユーザおよび被写体は、画像１枚に相当する外部メモリ３７の使用量から現在の撮影枚数を把握することができ、一方、画像１枚に相当する外部メモリ３７の残量から現在の撮影可能枚数を把握することができる。
【００９８】
以上、本発明の実施形態について図面を参照して詳述してきたが、具体的な構成はこの実施形態に限られるものではなく、本発明の要旨を逸脱しない範囲の設計変更等も含まれる。
例えば、上記各実施形態においては、撮影枚数および撮影可能枚数として１枚間隔または１００枚間隔を例示して説明してきたが、枚数間隔はこれに限定されるものではない。また、経過時間および撮影可能時間として１秒間隔または１０秒間隔を例示して説明してきたが、時間間隔はこれに限定されるものではない。
【図面の簡単な説明】
【００９９】
【図１】本発明の第１の実施形態にカメラを背面から見た概略構成図である。
【図２】図１のカメラを前面から見た概略構成図である。
【図３】図１のカメラを上方から見た概略構成図である。
【図４】図１のカメラの概略構成を示すブロック図である。
【図５】図１のカメラの連写撮影時の動作を示すフローチャート図である。
【図６】図１のカメラの音声パターン設定部による音声パターンの設定動作を詳細に示すフローチャート図である。
【図７】本発明の第２の実施形態に係るカメラの概略構成を示すブロック図である。
【図８】図７のカメラの連写撮影時の動作を示すフローチャート図である。
【図９】図７のカメラの音声パターン設定部による音声パターンの設定動作を詳細に示すフローチャート図である。
【図１０】本発明の第２の実施形態の変形例に係るカメラの音声パターン設定部による音声パターンの設定動作を詳細に示すフローチャート図である。
【符号の説明】
【０１００】
１  カメラ
２５  撮像部（撮像素子）
２７  カウント演算部（撮影枚数情報取得部）
２９  スピーカ（撮影枚数情報報知部）
【図１】
2009094830.tif 000003
【図２】
2009094830.tif 000004
【図３】
2009094830.tif 000005
【図４】
2009094830.tif 000006
【図５】
2009094830.tif 000007
【図６】
2009094830.tif 000008
【図７】
2009094830.tif 000009
【図８】
2009094830.tif 000010
【図９】
2009094830.tif 000011
【図１０】
2009094830.tif 000012